(57)【要約】【課題】雪止め具として好適に用いることができるだけでなく、作業用足場具や、安全ロープ、プランター等の各種設置具として用いることが可能な屋根上多目的部材を提供する。【解決手段】互いに平行で高さが異なる２個以上の突状部３が基板部２から立設されており、前記基板部２には係止用孔４が列設されており、前記突状部３が屋根の勾配に対し垂直になるよう屋根上に設置可能であるように構成されていることを特徴とする屋根上多目的部材１である。【選択図】図１
2017110423.tif 000002
【特許請求の範囲】
【請求項１】
互いに平行で高さが異なる２個以上の突状部が基板部から立設されており、
前記基板部には係止用孔が設けられており、
前記突状部が屋根の勾配に対し垂直になるよう屋根上に設置可能であるように構成されていることを特徴とする屋根上多目的部材。
【請求項２】
突状部が軒側では高く棟側では低く形成されていることを特徴とする請求項１に記載の屋根上多目的部材。
【請求項３】
突状部が３個以上設けられていることを特徴とする請求項１又は２に記載の屋根上多目的部材。
【請求項４】
突状部の先端部が同一平面状に配置されるよう構成されていることを特徴とする請求項１〜３のいずれか１項に記載の屋根上多目的部材。
【請求項５】
突状部の先端部が配置される平面と基板部下面のなす角度が１５〜３５°であることを特徴とする請求項３に記載の屋根上多目的部材。
【請求項６】
雪止め具として使用されることを特徴とする請求項１〜５のいずれか１項に記載の屋根上多目的部材。
【請求項７】
足場具として使用されることを特徴とする請求項１〜５のいずれか１項に記載の屋根上多目的部材。
【請求項８】
さらにボルト、ナット等の取付手段を供えた設置具として使用されることを特徴とする請求項１〜５のいずれか１項に記載の屋根上多目的部材。
【請求項９】
取付手段に安全ロープを取り付けたことを特徴とする請求項８に記載の屋根上多目的部材。
【請求項１０】
取付手段にプランターを取り付けたことを特徴とする請求項８に記載の屋根上多目的部材。
【発明の詳細な説明】
【技術分野】
【０００１】
本発明は屋根上に取り付ける屋根上多目的部材に関し、更に詳しくは、雪の滑り落ちを好適に止めることが出来る雪止め具や、雪掻き等の足場具、安全ロープ等の留め具、プランター等の設置具などとしても広く使用できる屋根上多目的部材に関するものである。
【背景技術】
【０００２】
従来より、屋根に積もった雪の滑り止めとして、例えば特許文献１に記載されているような、一端側を積み重なる屋根瓦の間に挿入して野地板に釘止めするか、あるいは下側の瓦の瓦尻に引っ掛け、他端側を垂直方向に立てて受け部とし、屋根上に積もった雪を受け部で受け止める構造のものが使用されている。
【０００３】
このような雪止め具は、重設する屋根瓦と屋根瓦との間に該雪止め具の一端が挿入されているため、屋根瓦と屋根瓦との間の隙間が広がってしまい、このため強風が吹くと、この隙間に風雨が入り込んで雨漏りが生じ易くなるという欠点がある。また、雪受け部は該雪止め具の他端側を折り曲げただけのものが多く、このような場合は雪の重みで耐えられず変形することが多い。特許文献１で提案されている雪止め具は雪受け部が前板と左右の側板からなるため、雪の重みでは変形しにくいが、雪受け以外の用途では使用できず、汎用性がない。
【０００４】
また、豪雪地域では屋根の雪掻き等の除雪作業は不可欠であるが、極めて危険な作業であり、転落事故や転落死が後を絶たないが、このような転落事故や転落死を防止するために、安全ロープを取り付けたり、また、足場として使用できるような雪止め具は従来報告されていない。
【先行技術文献】
【特許文献】
【０００５】
【特許文献１】特開平６−５７８９５号公報（図１、図５）
【発明の概要】
【発明が解決しようとする課題】
【０００６】
かかる実情に鑑み、本発明は上記従来技術の問題点を解消し、屋根瓦と屋根瓦との間に風雨が入り込む虞がなく、また雪の重みで変形しにくい雪止め具としてのみならず、作業用足場具、安全ロープ等の留め具、プランター等の設置具などとしても広く使用できる屋根上多目的部材を提供することを課題とする。
【課題を解決するための手段】
【０００７】
上記課題を解決するための本発明の特徴は、互いに平行で高さが異なる２個以上の突状部が基板部から立設されており、前記基板部には係止用孔が設けられており、前記突状部が屋根の勾配に対し垂直になるよう屋根上に設置可能であるように構成されている屋根上多目的部材である。
本発明の別の特徴は、突状部が軒側では高く棟側では低く形成されている上記の屋根上多目的部材である。
本発明の更に別の特徴は、突状部が３個以上設けられている上記の屋根上多目的部材である。
本発明の更に別の特徴は、突状部の先端部が同一平面状に配置されるよう構成されている上記の屋根上多目的部材である。
本発明の更に別の特徴は、突状部の先端部が配置される平面と基板部下面のなす角度が１５〜３５°である上記の屋根上多目的部材である。
本発明の更に別の特徴は、雪止め具として使用される上記の屋根上多目的部材である。
本発明の更に別の特徴は、足場具として使用されること上記の屋根上多目的部材である。
本発明の更に別の特徴は、さらにボルト、ナット等の取付手段を供えた設置具として使用される上記の屋根上多目的部材である。
本発明の更に別の特徴は、取付手段に安全ロープを取り付けた上記の屋根上多目的部材である。
本発明の更に別の特徴は、取付手段にプランターを取り付けた上記の屋根上多目的部材である。
【発明の効果】
【０００８】
本発明の屋根上多目的部材は、高さが異なる２個以上の突状部が基板部から立設されているので、前記突状部が屋根の勾配に対し垂直になるように、且つ、高い方の突状部が軒側になるように屋根上に設置すれば、例えば雪止め具として用いた場合、屋根に降り積もった雪の重みを各突状部に分散することができるので、突状部が雪の重みに対して折れ曲がりにくくなり、好適に雪の滑り落ちを防止することができる。突状部を３個以上とすれば、雪の重みをさらに好適に各突状部に分散することができ、雪の重みに対する耐久性が向上する。
【０００９】
また、本発明の屋根上多目的部材は、係止用孔が少なくとも２個の突状部の内部に設けられているので、棟側から流下する雨水や雪解け水、軒側からの吹き上げによる雨水や雪解け水は突状部により防御されるため、雨漏りしにくく耐水性に優れている。
【００１０】
突状部の先端部が同一平面状に配置されるように構成すれば、当該屋根上多目的部材にかかる荷重を全突状部にほぼ均等に分散することができるので好ましい。
【００１１】
突状部の先端部が配置される平面と基板部下面のなす角度を１５〜３５°とすれば、当該屋根上多目的部材を屋根上に設置した場合に突状部の先端部が配置される平面がほぼ水平となるので、雪止め具の他、足場具等として使用しやすくなる。
【００１２】
ボルト、ナット等の取付手段を備えることにより、安全ロープ、プランター等の設置具として広く使用することができる。
【図面の簡単な説明】
【００１３】
【図１】図１は本発明の屋根上多目的部材の一例を示す概略斜視図である。
【図２】図２は本発明の屋根上多目的部材を雪止め具として使用した場合の作用を示す概略説明図である。
【図３】図３（ａ）（ｂ）は、それぞれ本発明の屋根上多目的部材の他の例を示す説明図である。
【図４】図４（ａ）（ｂ）は、それぞれ本発明の屋根上多目的部材の他の例を示す説明図である。
【図５】図５（ａ）は安全ロープ等を固定するための金具等を装着可能な取付手段を備えた屋根上多目的部材を示す説明図であり、（ｂ）は（ａ）に金具を装着した状態を示す説明図である。
【図６】図６（ａ）は本発明において好ましい屋根上多目的部材を示す説明図であり、（ｂ）は（ａ）に金具及び固定用孔の覆い板を装着した状態を示す説明図である。
【図７】図７は本発明の屋根上多目的部材を雪止め具として用いた状態を示す平面図である。
【図８】図８は本発明の屋根上多目的部材を太陽電池パネルのメンテナンスのための足場具として用いた状態を示す平面図である。
【図９】図９は本発明の屋根上多目的部材をプランターを置くための設置具として使用した状態を示す平面図である。
【発明を実施するための形態】
【００１４】
本発明の屋根上多目的部材は、図１に示すように、互いに平行で高さが異なる２個以上の突状部３が基板部２から立設されており、前記基板部２には係止用孔４が設けられており、前記突状部３が屋根の勾配に対し垂直になるように屋根上に設置可能であるように構成されていることを特徴とする。
尚、図１〜図６において、左側が軒側（下側）、右側が棟側（上側）であることを示し、図７〜図９において、下側が軒側、上側が棟側であることを示す。
【００１５】
本発明の屋根上多目的部材１は、図１に示したように、基板部２、突状部３及び係止用孔４からなる。
本発明において基板部２は、屋根上に設置する際に瓦等の敷設材と接する部分であり、平板状である。敷設材が平板状ではなく例えば湾曲している場合は、必要に応じて、敷設材と接するように、基板部２を湾曲させることができる。
【００１６】
本発明において、突状部３は前記基板部２から上向きに立設されている部分である。突状部３としては、通常、板状のものが好ましい。図１に示す通り、本発明において突状部３は２個以上設けられ、これらは互いに平行で、その基板部２からの高さは互いに異なるように構成されている。ここで、互いに平行とは、厳密な意味での平行でなくとも差し支えなく、３０°程度までであれば平行でなくても許容される。好ましくは、１０°程度までである。
本発明の屋根上多目的部材１は、図２に示す通り、屋根に設置した際、軒側（下側）に高い突状部３が形成され、棟側（上側）に低い突状部３が形成されるように装着される。このようにすれば、例えば雪止め具として使用する場合、屋根を滑り落ちようとする雪Ｓの荷重が複数（図２では２箇所）の突状部３に分散されて、突状部３一個あたりの荷重が小さくなるので、突状部３の変形が防止され、滑り落ちようとする雪を好適に受け止めることができる。
【００１７】
図３に示すように、突状部３は３個以上設けてもよい。この場合も、屋根上多目的部材１は、屋根に設置された際、に軒側（下側）から棟側（上側）に向かって突状部３が順に低くなるよう構成するのが好ましい。本発明の屋根上多目的部材１において、図３（ａ）に示されるように、突状部３の先端部は必ずしも同一平面状になくてもよいが、図３（ｂ）に示されるように、突状部３の先端部が同一平面状に配置されるように構成するほうが好ましい。この場合、各突状部３に雪の荷重が均等に分散するため、より好適な雪止め具を提供することができる。
【００１８】
図４に示すように、全突状部３の先端部が配置される平面と、基板部２の下面のなす角度θは、１５〜３５°とするのが好ましい。屋根（敷設材、野地板）Ｒの傾斜角度が通常１５〜３５°であるので、全突状部３の先端部が配置される平面と、基板部２下面のなす角度をこの程度にすれば、全突状部３の先端部が水平になるので、単なる雪止め具としてでなく、足場具や設置具等としても使用しやすくなる。
【００１９】
本発明の屋根上多目的部材１は、突状部３が屋根の勾配（棟側から軒側への傾斜）に対し垂直になるように屋根上に設置される。ここで、垂直とは、厳密な意味での垂直でなくとも差し支えなく、３０°程度までであれば垂直でなくても許容される。好ましくは、１０°程度までである。
【００２０】
本発明の屋根上多目的部材１を足場具や設置具として使用する場合、図３（ａ）、（ｂ）のように突状部３が基板部２に対してほぼ垂直に設けられたものでも使用することが可能ではあるが、図４に記載されているように、傾斜している基板部２を水平面とした場合に突状部３が垂直になるように設けると、垂直にかかる荷重に対してさらに強くなるため好ましい。この場合図４（ｂ）に示すように、突状部３を４個以上設けると、垂直にかかる荷重が分散してさらに耐久力が増すのでさらに好ましい。
【００２１】
本発明の屋根上多目的部材１は、図５に示すように、ボルト、ナット等の取付手段５等を取り付けることにより、安全ロープ７等を取り付け、雪掻きや太陽電池パネルのメンテナンス等の屋根上で作業する際の命綱等とすることが出来る。図５（ｂ）では中央の２個の突状部３の間にボルト、ナットからなる取付手段５を備え、これに取り付けられたリング状金具６を介して安全ロープ７を取り付けた例を示している。
【００２２】
なお、図１乃至図５に示した実施例において、突状部３は全て平板状とされているがこれに限定されず、必要に応じ、図６に示すように、例えば任意の高さで屈折した「くの字状」としてもよいし、円弧状であってもよい。
【００２３】
図６は本発明の屋根上多目的部材１の他の好ましい例を示すもので、基板部２に高さの異なる４個の突状部３ａ〜３ｄが立設されている。図６（ａ）に示すように、突状部３ａは上半分が棟側に屈曲し、同じく棟側にビス孔８が設けられ。突状部３ｂと３ｃは棟側に傾斜するとともに、対向する側に取付手段５を取り付けるための空間部が形成され、反対側にはビス孔８が設けられ、突状部３ｄは棟側に傾斜するとともに、軒側にはビス孔８が設けられている。基板部２の棟側及び軒側は、雨水や雪解け水を横方向に流れやすくするために、薄く形成されている。
尚、突状部３ａ〜３ｄが棟側に傾斜していることにより、棟側から軒側に掛かる負荷に対する抵抗力が大きくなり、より大きな荷重に耐えることができる。
【００２４】
屋根上多目的部材１は、図６（ｂ）に示すように、たとえば、ＥＰＤＭからなるシーラー９を介してボルトを使用したり、また、図示しないが、ビスで締めつけると同時にシールされるブチルゴム付きビスを用いて、屋根（敷設材、野地板）（図示せず）に固定される。
突状部３ｂ、３ｃの間の空間部にはリング状金具６を備えたボルト、ナットからなる取付手段５が取り付けられ、突状部３ａと３ｂ及び３ｃ、３ｄの各ビス孔８には覆い板１０が架設されている。この覆い板１０は、屋根上多目的部材１を屋根に固定したボルトのシール部を覆い、雨水や雪解け水から保護してシール性を確保する役割を果たすとともに、該ボルトの頭部を押さえてボルトの緩みや脱出を防止する役割を果たす。
【００２５】
本発明の屋根上多目的部材１を屋根上に取り付ける方法は特に限定されないが、基板部２に穿設された係止用孔４と連通する孔を屋根（敷設材、野地板）に設け、当該孔と係止用孔４にボルトやビス等を差し込んで屋根（敷設材、野地板）にビスを打ち込む方法が例示できる。
【００２６】
上記の屋根上多目的部材１を雪止め具として使用する場合は、図７に示すように、たとえば、下縁付近の敷設材に屋根上多目的部材１を列設される。
【００２７】
本発明の屋根上多目的部材１を足場具として用いる場合は、図８に示すように、屋根上に留まる必要性に応じて適所に設ければよい。図８に示した例では、屋根上に太陽電池パネルＰｖが設けられており、そのメンテナンスのために、太陽電池パネルＰｖの周囲に屋根上多目的部材１が足場具として設置されている。
【００２８】
本発明の屋根上多目的部材１は設置具としても用いることができる。図９に示した例では、屋根上にプランターＰを設置するために本発明の屋根上多目的部材１を設置具として用いている。
【００２９】
本発明における屋根上多目的部材１の材質は特に限定されないが、加工のしやすさと必要な強度を保つ点から金属製が好ましく、具体的には、アルミニウム、鉄（防錆処理した）、銅、ステンレス等を用いることができる。
【００３０】
本発明の屋根上多目的部材１のサイズは、その目的により適宜決定すれば良いが、たとえば、図１に示すように、幅Ｗ（突状部３と平行方向）は３０〜４５０mm程度、長さＬ( 突状部３と垂直方向 )は３０〜１５０mm程度のものが例示される。また、厚さＴは材質や用途等により一概には規定できないが、１〜５mm程度のものが例示される。
【００３１】
以上、本発明の屋根上多目的部材を、雪止め具、足場具、各種の設置具として使用する場合について説明したが、本発明の屋根上多目的部材は、雪止め用アングルの設置具、シーサー、布袋、鬼瓦等の設置具、証明器具、イルミネーション等の設置具、植木鉢の設置具（屋根植栽や緑化）、ベンチ等の設置具（屋外ホール）、物干し、温室等の建物の土台や柱等の設置具（屋根建築）等として広く利用することができる。
【産業上の利用可能性】
【００３２】
上記したとおり、本発明の屋根上多目的部材によれば、雪止め具として使用した際には雪の重みによる破損が起こりにくく好適であり、また、作業用の足場具や各種の設置具としても広く用いることができ、極めて有用である。
【符号の説明】
【００３３】
１  屋根上多目的部材
２  基板部
３  突状部
４  係止用孔
５  取付手段
６  リング状金具
７  安全ロープ
８  ビス孔
９  シーラー
１０  覆い板
Ｓ  雪
Ｐｖ  太陽電池パネル
Ｐ  プランター
Ｒ  屋根（敷設材、野地板）
Ｗ  幅
Ｌ  長さ
Ｔ  厚さ
【図１】
2017110423.tif 000003
【図２】
2017110423.tif 000004
【図３】
2017110423.tif 000005
【図４】
2017110423.tif 000006
【図５】
2017110423.tif 000007
【図６】
2017110423.tif 000008
【図７】
2017110423.tif 000009
【図８】
2017110423.tif 000010
【図９】
2017110423.tif 000011